(57)【要約】【課題】利便性に優れる什器を提供する。【解決手段】什器１０は、互いに対向して配置される一対の支持フレーム２０，３０と、支持フレーム２０，３０の上部どうしを連結する連結フレーム５０と、を備える。支持フレーム２０，３０は、支持フレーム２０，３０どうしが対向する方向に直交する方向に沿って間隔をあけて配置され、床面から上方に向けて延びる二本一対の支柱２１，２１、３１，３１と、二本一対の支柱２１，２１、３１，３１の上部どうしを連結する上部連結部材２６，３６と、二本一対の支柱２１，２１、３１，３１どうしを、上部連結部材２６，３６よりも下方で連結する下部連結部材２７，３７と、一対の支持フレーム２０，３０の少なくとも一方に設けられ、作業面または物品を載置する載置面を形成する台部１１，１２と、を備える。【選択図】図１
2016016240.tif 000002
【特許請求の範囲】
【請求項１】
互いに対向して配置される一対の支持フレームと、
前記支持フレームの上部どうしを連結する連結フレームと、を備え、
前記支持フレームは、前記支持フレームどうしが対向する方向に直交する方向に沿って間隔をあけて配置され、床面から上方に向けて延びる二本一対の支柱と、
前記二本一対の前記支柱の上部どうしを連結する上部連結部材と、
前記二本一対の前記支柱どうしを、前記上部連結部材よりも下方で連結する下部連結部と、
一対の前記支持フレームの少なくとも一方に設けられ、作業面または物品を載置する載置面を形成する台部と、
を備えることを特徴とする什器。
【請求項２】
前記連結フレームおよび前記上部連結部材の少なくとも一方が、オプション部材を取付可能なオプション部材取付部を備えることを特徴とする請求項１に記載の什器。
【請求項３】
前記支柱は、配線を収容可能な配線収容空間を有していることを特徴とする請求項１または２に記載の什器。
【請求項４】
前記台部は、前記下部連結部上に設けられていることを特徴とする請求項１から３のいずれか一項に記載の什器。
【請求項５】
前記台部は、前記下部連結部を兼ねていることを特徴とする請求項１から３のいずれか一項に記載の什器。
【請求項６】
前記二本一対の前記支柱間に、物品を載置可能な棚板が設けられていることを特徴とする請求項１から５のいずれか一項に記載の什器。
【発明の詳細な説明】
【技術分野】
【０００１】
本発明は、什器に関する。
【背景技術】
【０００２】
オフィス、公共施設、病院等の執務空間においては、各種作業を行うため、テーブル、デスク等の什器が用いられている。このような什器においては、作業面を形成する天板上で十分な作業スペースを確保するため、天板以外に、各種の物品を載置する棚板等が設けられている。
【０００３】
特許文献１、２には、天板を支持する左右の脚体と、左右の脚体上にそれぞれ設けられ、上方に向けて延びるオプション部材取付用の支持杆と、天板の後端部に設けられ、左右の支持杆の間に架設された横杆と、横杆から前方に延びるように設けられた棚板やキャビネットと、を備える構成が開示されている。
これらの構成によれば、物品を棚板やキャビネットに載置したり収納したりすることで、天板上で作業を行うことができる。
【先行技術文献】
【特許文献】
【０００４】
【特許文献１】特開２０１０−１７８８８４号公報
【特許文献２】特開２０１０−１８７８８２号公報
【発明の概要】
【発明が解決しようとする課題】
【０００５】
しかしながら、近年のナースステーション等においては、複数のディスプレイやプリンタ等の各種の機器を設置することができるとともに、複数人が効率よく利用することのできる什器が望まれている。特許文献１、２に開示されたような構成の什器では、利用する人数に応じて什器を並べる必要があり、執務空間内で什器が占める面積が大きくなってしまう。しかし、実際の執務においては、各人が必ずしも天板上で作業するとは限らない。例えば、ディスプレイモニタに表示された情報を確認し、その情報に応じて什器周辺以外で作業を行う等、天板上では作業を行わないようなこともある。
したがって、執務形態に応じた利便性に優れる什器が望まれている。
そこでなされた本発明の目的は、利便性に優れる什器を提供することである。
【課題を解決するための手段】
【０００６】
本発明は、上記課題を解決するため、以下の手段を採用する。
この発明に係る什器は、互いに対向して配置される一対の支持フレームと、前記支持フレームの上部どうしを連結する連結フレームと、を備え、前記支持フレームは、前記支持フレームどうしが対向する方向に直交する方向に沿って間隔をあけて配置され、床面から上方に向けて延びる二本一対の支柱と、前記二本一対の前記支柱の上部どうしを連結する上部連結部材と、前記二本一対の前記支柱どうしを、前記上部連結部材よりも下方で連結する下部連結部と、一対の前記支持フレームの少なくとも一方に設けられ、作業面または物品を載置する載置面を形成する台部と、を備えることを特徴とする。
【０００７】
このような什器によれば、支持フレームは、二本一対の支柱どうしが上部連結部材と下部連結部とによって連結されることで、支持フレームの一部が矩形状をなす。これにより、支柱の上部どうしが離間することを上部連結部材が拘束するとともに、支柱における上部連結部材よりも下方位置どうしが離間することを下部連結部が拘束する。よって、支柱、上部連結部材、および下部連結部が位置する面に沿った方向における支持フレームの剛性を高めることができる。
そして、このように高い剛性を有した一対の支持フレームの上部どうしを連結フレームで連結することで、什器全体が高い剛性を有したものとなる。これにより、支持フレームや連結フレームに、例えばディスプレイモニタやプリンタ等の機器、その他の各種物品等を設置したときに、物品を確実に支持することができる。
また、このような什器は、一対の支持フレーム間で、連結フレームと床とによって囲まれた部分が開放され、什器内に立ち入ることができるようになっている。これにより、什器内に作業者が立ち入り、什器内の空間を有効利用することができる。
さらに、支持フレームや連結フレームにおいて、什器の外方を向く側だけでなく、什器の内方を向く側にも物品を取り付けることができ、この点においても什器内の空間を有効利用することができる。
加えて、台部上で作業を行ったり物品を載置することができ、什器の利便性が高まる。この台部は、必要に応じて利用すればよく、必ずしも利用人数の全員が同時に作業できるスペースを確保する必要はない。
【０００８】
また、前記連結フレームおよび前記上部連結部材の少なくとも一方が、オプション部材を取付可能なオプション部材取付部を備えるようにしてもよい。
これにより、連結フレームや上部連結部材に、オプション部材を取り付けることができる。そして、連結フレームや上部連結部材は高い位置にあるため、オプション部材を遠方から容易に視認することが可能となる。
【０００９】
また、前記支柱は、配線を収容可能な配線収容空間を有しているようにしてもよい。
これにより、什器で支持する機器類の配線を配線収容空間に収容することで、配線が露出して外観が損なわれるのを防ぐことができる。
【００１０】
また、前記台部は、前記下部連結部上に設けられているようにしてもよい。
これにより、台部を下部連結部によって支持することができ、台部上で作業を行ったり台部上に物品を載置した場合に、その荷重を確実に支持することができる。
【００１１】
また、前記台部は、前記下部連結部を兼ねているようにしてもよい。
これにより、什器を構成する部材の点数を削減することができる。
【００１２】
また、前記二本一対の前記支柱間には、物品を載置可能な棚板が設けられているようにしてもよい。
これにより、各種機器等の物品を棚板上に載置することができ、什器の利便性が高まる。
【発明の効果】
【００１３】
この発明に係る什器によれば、什器を、外側からだけでなく内側からも利用することができ、利便性を高めることができる。
【図面の簡単な説明】
【００１４】
【図１】この発明の一実施形態に係る什器の全体構成を示す斜視図である。
【図２】上記什器における支柱と上部連結部材との構成を示す斜視図である。
【図３】上記什器を構成する連結フレームの断面図である。
【図４】上記したような什器の使用例を示す斜視図である。
【図５】上記したような什器の使用例を示す図であり、図４とは異なる角度から見た斜視図である。
【図６】上記什器の変形例の構成を示す斜視図である。
【発明を実施するための形態】
【００１５】
以下、添付図面を参照して、本発明による什器を実施するための形態を説明する。しかし、本発明はこれらの実施形態のみに限定されるものではない。
【００１６】
図１は、この発明の一実施形態に係る什器の全体構成を示す斜視図である。
図１に示すように、什器１０は、間隔をあけて互いに対向して配置された一対の支持フレーム２０，３０と、一対の支持フレーム２０，３０どうしを連結する一対の連結フレーム５０，５０と、を備えている。
ここで、以下の説明において、支持フレーム２０，３０が対向する方向を「幅方向」、水平面内で支持フレーム２０，３０が対向する方向に直交する方向を「前後方向」とする。
【００１７】
一方の支持フレーム２０は、床面上に設置され、床面から上方に向けて延びる二本一対の支柱２１，２１と、これら支柱２１，２１の上端部２１ａ，２１ａどうしを連結する上部連結部材２６と、支柱２１，２１の上下方向の中間部２１ｂ，２１ｂどうしを連結する下部連結部材（下部連結部）２７と、を備えている。二本一対の支柱２１，２１は、前後方向に沿って間隔をあけて配置されている。
【００１８】
図２は、上記什器における支柱と上部連結部材との構成を示す斜視図である。
図２に示すように、各支柱２１には、上下方向に連続する配線収容空間Ｅ１が内部に形成されている。支柱２１において、対向する支柱２１に面した側の側面には、上下方向に亘って内方に凹となる溝部２２が形成されている。溝部２２内には、スリット２３ｓが形成された断面略Ｃ型状の長尺なチャンネル部材２３が嵌合されている。このチャンネル部材２３内の空間が、配線収容空間Ｅ１となる。このチャンネル部材２３には、スリット２３ｓを塞ぐ軟質なシート状の塞ぎ部材２４が設けられている。塞ぎ部材２４は、ゴム等の柔らかい材料で形成された可撓性の部材であり、一端側がチャンネル部材２３に固定され、他端側が自由端となっている。そのため、塞ぎ部材２４を変形させて、配線収容空間Ｅ１に配線を必要時に出し入れすることができるようになっている。この塞ぎ部材２４は、溝部２２のスリット２３ｓを塞ぐ部材として機能する。
【００１９】
支柱２１において、対向する支柱２１に面した側の側面には、溝部２２の両側に、それぞれ上下方向に一定の間隔をあけて複数の係合孔２５ｍが形成されている。また、支柱２１において、対向する支柱２１に面した側とは反対の側面には、上下方向に一定の間隔をあけて複数のスリット２５ｓが形成されている。
また、支柱２１の上端部２１ａには、対向する支柱２１に面した側の内側面及び反対側の外側面に、それぞれボルト挿通孔２１ｈが形成されている。
【００２０】
上部連結部材２６は、平面視長方形状の底板部２６ｂと、底板部２６ｂの外周部から上方に立ち上がる壁部２６ｃ，２６ｃ…とを有した有底状をなしている。上部連結部材２６の支柱２１に対向する壁部２６ｃには、下方に凹む凹部２６ｄが形成されている。上部連結部材２６の底板部２６ｂと、幅方向に沿って底板部２６ｂの両側で対向する壁部２６ｃ，２６ｃとに囲まれて、配線収容空間Ｅ２が形成されている。この配線収容空間Ｅ２内に、支柱２１の配線収容空間Ｅ１の上端から導出された配線を、凹部２６ｄを通して収容できるようになっている。
【００２１】
上部連結部材２６の前後方向の両端部において、それぞれ支柱２１に対向する壁部２６ｃには、凹部２６ｄの幅方向両側に雌ネジ部２６ｎが形成されている。支柱２１の外側面のボルト挿通孔２１ｈから挿通されたボルト１４の先端部は、内側面のボルト挿通孔２１ｈを通して上部連結部材２６の雌ネジ部２６ｎに締結される。これにより、上部連結部材２６は支柱２１の上端部２１ａに連結されている。
【００２２】
図１に示すように、支持フレーム２０には、上記下部連結部材２７として、幕板２８が設けられている。幕板２８は、二本一対の支柱２１，２１間で、上下方向に一定長を有した矩形板状をなしている。この幕板２８は、図示しないボルト等によって、両側の支柱２１，２１にそれぞれ連結されている。また、幕板２８の前後方向両側の支柱２１，２１には、支柱２１側から対向する支持フレーム３０側に向けて延びる補強板部２８ｒが設けられている。この補強板部２８ｒは、支柱２１，２１に形成されたスリット２５ｓ（図２参照）に、図示しない係止フックを係止させることで固定されている。
【００２３】
このようにして、支持フレーム２０は、二本一対の支柱２１、２１が、上部連結部材２６と下部連結部材２７とによって連結され、矩形状、梯子状をなしている。
【００２４】
支持フレーム２０には、下部連結部材２７上に、作業面を有したデスク天板（台部）１１が設けられている。デスク天板１１は、支持フレーム２０から什器１０の内方、つまり、支持フレーム２０に対向する支持フレーム３０側に向けて水平方向に突出して設けられている。デスク天板１１は、その下面が幕板２８および補強板部２８ｒ上に図示しないボルト等によって固定されている。
【００２５】
また、支持フレーム２０の下端部には、床面に沿って延びる脚部２０ｆが設けられている。
また、支持フレーム２０には、上下に間隔をあけて複数枚の棚板（台部）２９が設けられている。
さらに、支持フレーム２０には、下部連結部材２７よりも上方位置に、ディスプレイモニタ等のオプション部材９０を装着可能なオプション部材取付バー４０が設けられている。
これらの脚部２０ｆ、棚板２９、オプション部材取付バー４０は、それぞれの両端部が、支柱２１，２１に形成されたスリット２５ｓ（図２参照）に、図示しない係止フックを係止させることで固定されている。ここで、脚部２０ｆ、棚板２９は、什器１０の幅方向外方に向けて突出するよう設けられている。また、オプション部材取付バー４０は、支持フレーム２０において、什器１０の幅方向内方に向いた側に取り付けられている。
【００２６】
他方の支持フレーム３０は、床面上に設置され、床面から上方に向けて延びる二本一対の支柱３１，３１と、これら支柱３１，３１の上端部３１ａ，３１ａどうしを連結する上部連結部材３６と、支柱３１，３１の上下方向の中間部３１ｂ，３１ｂどうしを連結する下部連結部材（下部連結部）３７と、を備えている。
【００２７】
二本一対の支柱３１，３１は、前後方向に沿って間隔をあけて配置されている。各支柱３１は、上下方向に連続する平面視略矩形の筒状で、その内部に配線等を挿通できる配線収容空間（図示無し）を備えている。
【００２８】
上部連結部材３６の両端部は、それぞれ図示しないブラケットやボルトによって、支柱３１の上端部３１ａに連結されている。
上部連結部材３６における幅方向の両面には、上下に間隔をあけて複数の係止溝（オプション部材取付部）３８，３８が形成されている。
【００２９】
また、下部連結部材３７は、図示しないボルト等によって、両側の支柱３１，３１にそれぞれ連結されている。
【００３０】
このようにして、支持フレーム３０は、二本一対の支柱３１、３１が、上部連結部材３６と下部連結部材３７とによって連結され、矩形状、梯子状をなしている。
【００３１】
支持フレーム３０には、下部連結部材３７上に、作業面を有したデスク天板（台部）１２が設けられている。デスク天板１２は、支持フレーム３０の支柱３１，３１間に配置されている。デスク天板１２は、その下面が下部連結部材３７上に図示しないボルト等によって固定されている。
ここで、デスク天板１２は、支持フレーム３０に対し、幅方向一方の端部１２ａが什器１０の内方側に突出し、幅方向他方の端部１２ｂが什器１０の外方側に突出して設けられている。これにより、このデスク天板１２は、什器１０の内方側と外方側のそれぞれから利用することができる。
【００３２】
連結フレーム５０は、支持フレーム２０と支持フレーム３０に対し、什器１０の前後方向の両側それぞれに、什器１０の幅方向に延びるように配置されている。連結フレーム５０は、支持フレーム２０，３０の前後方向両側にそれぞれ配置された支柱２１，２１、３１，３１に、図示しないブラケットやボルトを用いて連結されている。
【００３３】
図３は、上記什器を構成する連結フレームの断面図である。
図３に示すように、連結フレーム５０は、前後方向に間隔をあけて配置された側板部５０ａ，５０ａと、これら側板部５０ａ，５０ａを連結する連結板部５０ｂ，５０ｂ…と、を備えている。連結板部５０ｂは、側板部５０ａ，５０ａの上下の端部よりも連結フレーム５０の中心側にオフセットして設けられている。側板部５０ａ，５０ａの上端部は、連結フレーム５０の前後方向の中心側に向けて延びる縁部５０ｃ，５０ｃが形成されている。
【００３４】
連結フレーム５０には、その前後の側板部５０ａ，５０ａに、上下に間隔をあけて複数の係止溝（オプション部材取付部）５１，５１が形成されている。各係止溝５１は、側板部５０ａの表面に形成されたスリット５１ａと、側板部５０ａに対して連結フレーム５０の前後方向中心側に連続して形成された溝部５１ｂと、を備えている。ここで、係止溝５１は、スリット５１ａの上下方向の開口幅よりも、溝部５１ｂの上下方向の開口幅の方が大きくなっている。
【００３５】
これらの係止溝５１，５１に、オプション部材９０が係止可能となっている。オプション部材９０は、取付ブラケット９５や、オプション部材９０自体に設けられた係止フックによって、係止溝５１，５１に係止される。
【００３６】
取付ブラケット９５は、例えば、ベースプレート９６と、アジャストアーム９７と、ホルダープレート９８と、固定ねじ９９と、を備えている。
【００３７】
ベースプレート９６は、上端部に連結フレーム５０の側板部５０ａの上端部の縁部５０ｃに係止されるフック部９６ａと、フック部９６ａに連続して形成され、側板部５０ａに沿うプレート部９６ｂと、プレート部９６ｂの下端部に連続して形成され、係止溝５１内に挿入される挿入爪部９６ｃと、を備えている。プレート部９６ｂには、下側の係止溝５１に対向する位置にネジ孔（図示無し）が形成され、固定ねじ９９がねじ込み可能となっている。
このようなベースプレート９６は、フック部９６ａを連結フレーム５０の上端部の縁部５０ｃに係止させ、挿入爪部９６ｃを係止溝５１に挿入した状態で、固定ねじ９９をねじこみ、その先端部を係止溝５１の溝底部に突き当てる。これにより、ベースプレート９６が連結フレーム５０に確実に固定される。
【００３８】
アジャストアーム９７は、基端部がベースプレート９６に固定された第一アーム９７ａと、第一アーム９７ａの先端部に回動可能に連結された第二アーム９７ｂと、を備えている。アジャストアーム９７は、第一アーム９７ａに対し、第二アーム９７ｂが、垂直軸周りおよび水平軸周りに回動可能に連結されている。
【００３９】
ホルダープレート９８は、第二アーム９７ｂの先端部に一体に設けられている。ホルダープレート９８は、ディスプレイモニタ等のオプション部材９０が固定されている。
【００４０】
また、連結フレーム５０には、側板部５０ａ，５０ａの上端部と最上部の連結板部５０ｂとに囲まれて、内部に配線等を挿通させる配線収容空間Ｅ３が形成されている。オプション部材９０の配線は、支柱２１内の配線収容空間Ｅ１、上部連結部材２６の配線収容空間Ｅ２から、連結フレーム５０の配線収容空間Ｅ３を通すことで、外部に露出しないで配索される。
【００４１】
図４は、上記したような什器の使用例を示す斜視図である。図５は、上記したような什器の使用例を示す図であり、図４とは異なる角度から見た斜視図である。
図４，図５に示すように、棚板２９上に、プリンタ等の各種の機器８０や、その他の物品を載置することができる。また、上部連結部材２６，３６，連結フレーム５０、オプション部材取付バー４０には、ディスプレイモニタ等のオプション部材９０が、取付ブラケット９５（図３参照）や係止フック、ボルト等を介して係止されている。ここで、上部連結部材２６，３６，オプション部材取付バー４０は、図３に示した連結フレーム５０と同じ断面形状を有しており、什器１０の外方側、内方側のいずれの側面にも、オプション部材９０を係止させることができる。
また、棚板２９上に載置される機器８０や、上部連結部材３６，連結フレーム５０、オプション部材取付バー４０に係止されるオプション部材９０は、その電源供給、通信等のために用いる配線を、支柱２１，３１、上部連結部材２６，３６、連結フレーム５０の配線収容空間Ｅ１，Ｅ２，Ｅ３を通して配索することができる。
【００４２】
また、このような什器１０は、床面上で移動自在なカート装置１００を組み合わせて用いることができるようになっている。
カート装置１００は、床面上で走行移動自在なキャスター１０１を備えた脚部１０２と、脚部１０２から上方に向けて延びる支柱１０３と、支柱１０３上に支持された天板部１０４と、を備えている。支柱１０３は、上下方向に伸縮可能とされ、これによって天板部１０４の高さが調整可能となっている。
支柱１０３は、天板部１０４の下面の平面視中央部に配置されている。これによって、天板部１０４は、その外周部１０４ａが支柱１０３から外方にオーバーハングして設けられている。
【００４３】
このようなカート装置１００は、支柱１０３を伸縮させて、天板部１０４が什器１０のデスク天板１１，１２よりも上方に位置するように、支柱１０３の長さを調整しておくのが好ましい。これにより、カート装置１００は、天板部１０４の一部を、デスク天板１１，１２や棚板２９の上方に位置させ、脚部１０２をデスク天板１１，１２の下方に形成された空間に挿入した状態で利用することができる。
【００４４】
上述したような什器１０は、互いに対向して配置される一対の支持フレーム２０，３０と、支持フレーム２０，３０の上部どうしを連結する連結フレーム５０，５０と、を備えている。そして、支持フレーム２０，３０は、床面から上方に向けて延びる二本一対の支柱２１，２１、３１，３１と、二本一対の支柱２１，２１、３１，３１の上部どうしを連結する上部連結部材２６，３６と、二本一対の支柱２１，２１、３１，３１どうしを、上部連結部材２６，３６よりも下方で連結する下部連結部材２７，３７と、を備えている。
このような什器１０によれば、支持フレーム２０，３０は、二本一対の支柱２１，２１、３１，３１どうしが上部連結部材２６，３６と下部連結部材２７，３７とによって連結されることで、支持フレーム２０，３０の一部が矩形状をなす。したがって、支柱２１，２１、３１，３１の上部どうしが離間することを上部連結部材２６，３６が拘束するとともに、支柱２１，２１、３１，３１における上部連結部材２６，３６よりも下方位置どうしが離間することを下部連結部材２７，３７が拘束する。よって、支柱２１，２１、３１，３１、上部連結部材２６，３６、および下部連結部材２７，３７が位置する面に沿った方向において、支持フレーム２０，３０の剛性を高めることができる。
そして、このように高い剛性を有した一対の支持フレーム２０，３０の上部どうしを連結フレーム５０，５０で連結することで、什器１０全体が高い剛性を有したものとなる。したがって、このような什器１０は、各種の機器８０やディスプレイモニタ等のオプション部材９０を確実に支持することができる。
【００４５】
また、このような什器１０は、一対の支持フレーム２０，３０間で、連結フレーム５０と床とによって囲まれた部分Ｓ１が開放されている。これにより、平面視すると支持フレーム２０，３０と連結フレーム５０，５０とによって囲まれた什器１０内方の空間に、什器１０の前後方向から立ち入ることができるようになっている。これにより、什器１０内の空間を有効利用することが可能となる。一方、支持フレーム２０，３０は、二本一対の支柱２１，２１、３１，３１と上部連結部材２６，３６と床とによって囲まれた部分Ｓ２が下部連結部材２７，３７によって閉塞されているため、この支持フレーム２０，３０に対向する方向（什器１０の幅方向）から什器１０内に立ち入ることはできない。
さらに、支持フレーム２０，３０や連結フレーム５０，５０において、什器１０の外方を向く側だけでなく、什器１０の内方を向く側にもオプション部材９０等の物品を取り付けることができる。したがって、什器１０内の空間からディスプレイモニタ等のオプション部材９０を視認することができ、この点においても什器１０内の空間を有効利用することができる。
このようにして、什器１０は、外側からだけでなく内側からも利用することができるものとなり、什器１０は、その内外で、様々な作業や多人数での利用が有効に行える。その結果、什器１０は、その利便性を高めることができる。
【００４６】
また、二本一対の支柱２１，２１、３１，３１間には、デスク天板１１，１２が設けられている。これにより、デスク天板１１，１２上で作業を行うことができる。これらのデスク天板１１，１２は、必要に応じて利用すればよく、必ずしも利用人数の全員が同時に作業できるスペースを確保する必要はない。これによって、什器１０が執務空間内に占めるスペースを抑えつつ、執務状況に応じて什器１０の利便性を高めることができる。
また、支持フレーム３０に設けられたデスク天板１２は、支持フレーム３０に対し、什器１０の内方側と外方側の双方に向けて突出するよう設けられている。これにより、このデスク天板１２は、什器１０の内側と外側のそれぞれから用いることができる。
【００４７】
そして、デスク天板１１，１２は、下部連結部材２７，３７上に設けられている。これにより、デスク天板１１，１２を下部連結部材２７，３７によって支持することができる。したがって、デスク天板１１，１２上で作業を行ったりデスク天板１１，１２上に物品を載置した場合に、その荷重を確実に支持することができる。
【００４８】
また、什器１０は、カート装置１００を組み合わせて用いることで、各種の作業を効率よく行うことができる。そして、カート装置１００は、天板部１０４がデスク天板１１，１２上にオーバーハングし、脚部１０２もデスク天板１１，１２の下方の空間に入り込む。したがって、カート装置１００を利用する際にはもちろんのこと、カート装置１００の不使用時にも、カート装置１００がデスク天板１１，１２の周囲に大きくはみ出すのを防ぎ、執務空間を有効に利用することが可能となる。
【００４９】
また、連結フレーム５０、上部連結部材３６が、オプション部材９０を取付可能な係止溝３８，５１を備えるようにした。これにより、高い位置にある連結フレーム５０や上部連結部材３６に、オプション部材９０を取り付けることができ、ディスプレイモニタ等のオプション部材９０を遠方から容易に視認することができる。
【００５０】
また、支柱２１、２１は、配線を収容可能な配線収容空間Ｅ１を有しているようにした。これにより、什器１０で支持する機器類の配線を配線収容空間Ｅ１に収容することで、配線が露出して外観が損なわれるのを防ぐことができる。
【００５１】
また、支持フレーム２０は、二本一対の支柱２１，２１間に棚板２９が装着されるようにした。これにより、各種の機器８０等の物品を棚板２９上に載置することができ、この点においても、什器１０の利便性が高まる。
【００５２】
（その他の実施形態）
なお、本発明の什器は、図面を参照して説明した上述の各実施形態に限定されるものではなく、その技術的範囲において様々な変形例が考えられる。
例えば、連結フレーム５０は、支持フレーム２０と支持フレーム３０に対し、前後方向の両側にそれぞれ配置され、両端部が支柱２１、３１に連結されるようにしたが、これに限らない。
例えば、図６に示すように、連結フレーム５０は、例えば１本のみを備え、この連結フレーム５０を、支持フレーム２０と支持フレーム３０の前後方向の中間部において、両端部が上部連結部材２６，３６に連結するようにしてもよい。
さらに、複数の連結フレーム５０を、前後方向に間隔をあけて配置し、それぞれの連結フレーム５０の両端部を上部連結部材２６，３６に連結するようにしても良い。
【００５３】
また、支柱２１、３１、上部連結部材２６、３６、下部連結部材２７，３７、連結フレーム５０等、什器１０を構成する各部材の形状や構成等については、上記に例示した構成に限らず、他の様々な構成としてもよい。
さらに、支持フレーム２０と支持フレーム３０とが互いに異なる構成としたが、もちろんこれらをいずれか一方と同じ構成とすることもできる。
【００５４】
さらに、上記実施形態では、支持フレーム２０，３０を構成する支柱２１，２１、３１，３１どうしを、上部連結部材２６、３６と、下部連結部材２７，３７とで連結するようにしたが、下部連結部材２７，３７に代えて、デスク天板や棚板によって、支柱２１，２１、３１，３１を連結してもよい。この場合、デスク天板や棚板は、下部連結部と台部とを兼ねることとなる。これにより、什器を構成する部材の点数を削減することができる。
【００５５】
また、上記実施形態では、デスク天板１１，１２がそれぞれ下部連結部材２７，３７の直上に取り付けられているがこれに限らない。例えば、デスク天板１１，１２は、下部連結部材２７，３７から離間して、上方または下方に設けられていてもよい。
また、デスク天板１１，１２は、それぞれ支柱２１，３１に直接取り付けられていてもよい。
これ以外にも、本発明の主旨を逸脱しない限り、上記実施の形態で挙げた構成を取捨選択したり、他の構成に適宜変更したりすることが可能である。
【符号の説明】
【００５６】
１０    什器
１１，１２    デスク天板（台部）
２０，３０    支持フレーム
２１，３１    支柱
２１ａ，３１ａ    上端部
２６，３６    上部連結部材
２７，３７    下部連結部材（下部連結部）
２８    幕板
２９    棚板（台部）
３８，５１    係止溝（オプション取付部）
５０    連結フレーム
８０    機器
９０    オプション部材
１００    カート装置
Ｅ１、Ｅ２    配線収容空間
【図１】
2016016240.tif 000003
【図２】
2016016240.tif 000004
【図３】
2016016240.tif 000005
【図４】
2016016240.tif 000006
【図５】
2016016240.tif 000007
【図６】
2016016240.tif 000008